(57)【特許請求の範囲】
【請求項１】
引出形収納機器と制御機器とを正面側に配置した収納機器室と、
前記収納機器室の正面側に設けられた正面扉を有する正面側防水室と、
前記収納機器室の背面側に設けられた背面扉を有する背面側防水室と、
前記正面側防水室から前記背面側防水室までの天井に設けられた屋根部材とを備え、
前記正面側防水室は、前記制御機器と前記引出形収納機器とを引出せるスペースを有することを特徴とする屋外形閉鎖配電盤。
【請求項２】
前記正面側防水室は、前記背面側防水室よりも奥行き寸法が大きいことを特徴とする請求項１に記載の屋外形閉鎖配電盤。
【発明の詳細な説明】
【技術分野】
【０００１】
本発明の実施形態は、屋外形と屋内形の収納機器の配置を同様とし、機器配置の標準化を図った屋外形閉鎖配電盤に関する。
【背景技術】
【０００２】
従来、屋外形閉鎖配電盤は、正面側に制御機器を配置し、背面側に引出形の収納機器を配置している（例えば、特許文献１参照）。これは、収納機器と制御機器の点検を容易にするためである。仮に、収納機器と制御機器を正面側または背面側の同一方向に配置していると、制御機器を解放または取外した後、収納機器を引出す手順となるため、制御機器を箱体から露出させなくてはならない。このため、降雨時には、濡れてしまうことになる。なお、屋内形では、正面側の同一方向に制御機器と収納機器が配置されている（例えば、特許文献２参照）。
【０００３】
この種の屋外形閉鎖配電盤を図５に示すが、箱体１の背面側には、図示上段に第１の引出形遮断器２、図示下段に第２の引出形遮断器３が配置されている。第１の引出形遮断器２の電源側には、第１の変流器４を介して第１の電力ケーブル５が接続されている。負荷側は、第２の遮断器３の負荷側に接続されている。また、隣接する盤へ接続される共通母線６に接続されている。第２の遮断器３の電源側には、第２の変流器７を介して第２の電力ケーブル８が接続されている。
【０００４】
箱体１の正面側には、隔壁９で仕切られた室に、第１の引出形遮断器２を制御する第１の制御機器１０と、第２の引出形遮断器３を制御する第２の制御機器１１が設けられている。なお、背面側には開閉自在の背面扉１２、正面側には開閉自在の正面扉１３、天井には屋根１４が設けられている。なお、引出形遮断器２、３は、背面側に移動する。
【０００５】
このような屋外形閉鎖配電盤は、屋外形専用として製造されている。一方、上述した屋内形も屋内形専用として製造されており、一般的に屋内形の方が製造する面数が多い。このため、屋内形の機器配置で屋外形にも使用できるようなものが望まれていた。これにより、収納機器の配置の標準化を図ることができ、製造効率を向上させることができる。
【先行技術文献】
【特許文献】
【０００６】
【特許文献１】特開平１１−３１８００９号公報
【特許文献２】特開２００７−２７４８６１号公報
【発明の概要】
【発明が解決しようとする課題】
【０００７】
本発明が解決しようとする課題は、引出形遮断器とそれを制御する制御機器を正面側に配置する屋内形の収納機器配置のものを、屋外形にも適用できるようにし、機器配置の標準化を図り、製造効率を向上し得る屋外形閉鎖配電盤を提供することにある。
【課題を解決するための手段】
【０００８】
上記課題を解決するために、実施形態の屋外形閉鎖配電盤は、引出形収納機器と制御機器とを正面側に配置した収納機器室と、前記収納機器室の正面側に設けられた正面扉を有する正面側防水室と、前記収納機器室の背面側に設けられた背面扉を有する背面側防水室と、前記正面側防水室から前記背面側防水室までの天井に設けられた屋根部材とを備え、前記正面側防水室は、前記制御機器と前記引出形収納機器とを引出せるスペースを有することを特徴とする。
【図面の簡単な説明】
【０００９】
【図１】本発明の実施例１に係る屋外形閉鎖配電盤の構成を示す側面図。
【図２】本発明の実施例１に係る屋外形閉鎖配電盤の構成を説明する分解図。
【図３】本発明の実施例１に係る屋外形閉鎖配電盤の正面側を示す拡大断面図。
【図４】本発明の実施例２に係る屋外形閉鎖配電盤の構成を示す拡大断面図。
【図５】従来の屋外形閉鎖配電盤の構成を示す側面図。
【発明を実施するための形態】
【００１０】
以下、図面を参照して本発明の実施例を説明する。
【実施例１】
【００１１】
先ず、本発明の実施例１に係る屋外形閉鎖配電盤を図１〜図３を参照して説明する。図１は、本発明の実施例１に係る屋外形閉鎖配電盤の構成を示す側面図、図２は、本発明の実施例１に係る屋外形閉鎖配電盤の構成を説明する分解図、図３は、本発明の実施例１に係る屋外形閉鎖配電盤の正面側を示す拡大断面図である。なお、従来と同様の構成部分は、同一符号を付した。
【００１２】
図１に示すように、箱体１は、図示中央部の屋内形と同様の機器配置である収納機器室１ａと、図示左側の正面側防水室１ｂと、図示右側の背面側防水室１ｃとに分かれて構成されている。
【００１３】
収納機器室１ａには、図示上段に第１の引出形遮断器２、図示下段に第２の引出形遮断器３が配置されている。第１の引出形遮断器２の電源側には、第１の変流器４を介して第１の電力ケーブル５が接続されている。負荷側は、第２の遮断器３の負荷側に接続されている。また、隣接する盤へ接続される共通母線６に接続されている。第２の遮断器３の電源側には、第２の変流器７を介して第２の電力ケーブル８が接続されている。第１の引出形遮断器２、第２の引出形遮断器３の正面側には、それを制御する第１、第２の制御機器１０、１１が設けられている。なお、引出形遮断器２、３は、正面側に移動する。
【００１４】
正面側防水室１ｂには、箱体１の正面側形状とほぼ同様の矩形状の正面側防水枠２０が設けられており、収納機器室１ａとは隔壁２１で仕切られている。正面側防水枠２０の開口部には、開閉自在の正面扉１３が設けられている。
【００１５】
背面側防水室１ｃには、箱体１の背面側形状とほぼ同様の矩形状の背面側防水枠２２が設けられており、収納機器室１ａとは隔壁２３で仕切られている。背面側防水枠２２の開口部には、開閉自在の背面扉１２が設けられている。天井には、傾斜した屋根１４が設けられている。
【００１６】
次に、正面側防水室１ｂ、背面側防水室１ｃ、屋根１４の組立方法を図２、図３を参照して説明する。
【００１７】
図２に示すように、箱体１の正面側と背面側に、それぞれ正面側防水枠２０と背面側防水枠２２を固定する。この場合、図３に示すように、箱体１側に断面Ｌ字状の固定枠２４を溶接などで固定しておき、この固定枠２４に正面側防水枠２０を嵌め込み、ボルトなどで固定する。正面側防水枠２０の端部には、ヒンジ２５を設け、正面扉１３を係止する。背面側も同様の構成である。
【００１８】
屋根１４では、両側に吊り金具２６が固定されている。吊り金具２６の両側には、これを囲うような枠箱２７が設けられ、更に枠箱２７と屋根１４の一部を覆い、雨水の浸入を防ぐ断面Ｌ字状の防水板２８が固定されるようになっている。屋根１４は、正面側防水室１ｂから収納機器室１ａを経て背面側防水室１ｃまでを覆うものである。吊り金具２６の吊りボルトは、屋根１４の固定後、取外される。この構成は、単独盤である。ここで、屋根１４、吊り金具２６、枠箱２７、防水板２８を天井に設けられる屋根部材と称する。
【００１９】
これにより、箱体１内の収納機器の配置を屋内形と同様にし、屋外形とすることができる。正面側防水枠２０では、制御機器１０、１１を開いたとき、これを収納し、制御機器１０、１１に干渉されないで、引出形遮断器２、３を図示しないレールに沿って引出すことができる。即ち、正面側防水室１ｂには、制御機器１０、１１と引出形遮断器２、３を引出せるスペースがあり、点検などをすることができる。背面側防水室１ｃは、収納機器の引出しなどがないので、正面側防水枠２０よりも奥行き寸法が小さくてよい。
【００２０】
なお、引出形遮断器２、３のほかに、避雷器や変成器などの引出形収納機器を用いることができる。
【００２１】
上記実施例１の屋外形閉鎖配電盤によれば、箱体１の正面側に正面側防水枠２０、背面側に背面側防水枠２２を設け、天井に正面側防水枠２０から背面側防水枠２２までを覆うような屋根１４を設けているので、屋外形を屋内形と同様の機器配置で構成することができる。このため、収納機器の配置の標準化を図ることができ、製造効率を向上させることができる。
【実施例２】
【００２２】
次に、本発明の実施例２に係る屋外形閉鎖配電盤を図４を参照して説明する。図４は、本発明の実施例２に係る屋外形閉鎖配電盤の構成を示す拡大断面図である。なお、この実施例２が実施例１と異なる点は、列盤したことである。図４において、実施例１と同様の構成部分においては、同一符号を付し、その詳細な説明を省略する。
【００２３】
図４に示すように、列盤した箱体１ｄ、１ｅの天井には、それぞれ屋根１４ａ、１４ｂ、枠箱２７ａ、２７ｂ、２７ｃが設けられている。そして、端部の枠箱２７ａには、断面Ｌ字状の防水板２８が設けられている。箱体１ｄ、１ｅ間には、隣合う枠箱２７ｂ、２７ｃと屋根１４ａ、１４ｂの一部を覆い、雨水の浸入を防ぐ断面コ字状の連結板２９が設けられている。
【００２４】
上記実施例２の屋外形閉鎖配電盤によれば、実施例１による効果のほかに、屋外形でも列盤することにより、各種の電源系統に合わせた盤構成ができ、適用範囲を拡大させることができる。
【００２５】
以上述べたような実施形態によれば、箱体内の収納機器の配置を屋内形と屋外形で同様とすることができ、機器配置の標準化を図ることができる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１、１ｄ、１ｅ  箱体
１ａ  収納機器室
１ｂ  正面側防水室
１ｃ  背面側防水室
２  第１の引出形遮断器
３  第２の引出形遮断器
４  第１の変流器
５  第１の電力ケーブル
６  共通母線
７  第２の変流器
８  第２の電力ケーブル
９、２１、２３  隔壁
１０  第１の制御機器
１１  第２の制御機器
１２  背面扉
１３  正面扉
１４、１４ａ、１４ｂ  屋根
２０  正面側防水枠
２２  背面側防水枠
２４  固定枠
２５  ヒンジ
２６  吊り金具
２７、２７ａ、２７ｂ、２７ｃ  枠箱
２８  防水板
２９  連結板
【図１】
0005869844.tif 000002
【図２】
0005869844.tif 000003
【図３】
0005869844.tif 000004
【図４】
0005869844.tif 000005
【図５】
0005869844.tif 000006